(57)【要約】【課題】化粧料等を塗布するための塗布具を備えた上で、塗布具の塗布面を十分に加温あるいは冷却することができる、構造の簡単な塗布具付容器を得る。【解決手段】塗布具付容器１は、塗布剤Ｃを塗布する塗布面１２ａを有する塗布体１２及び、塗布面１２ａの温度を上昇あるいは下降させる温度作用部１３、１６を備えた塗布具１０と、塗布具１０に離脱可能に結合し、この結合がなされた際に、塗布体１２の少なくとも塗布面１２ａを密閉空間内に閉じ込める蓋体２０と、蓋体２０内において塗布剤Ｃを一部露出させて収容し、上記結合がなされた際に、露出している塗布剤Ｃが塗布面１２ａ側を向くように配置された容器３０と、上記結合がなされた際に、露出している塗布剤Ｃが塗布面１２ａに当接するように、容器３０を塗布体１２に向けて弾性付勢する弾性体４０とを有する。【選択図】図１
2019107089.tif 000002
【特許請求の範囲】
【請求項１】
塗布剤を塗布する塗布面を有する塗布体及び、前記塗布面の温度を上昇あるいは下降させる温度作用部を備えた塗布具と、
前記塗布具に離脱可能に結合し、この結合がなされた際に、塗布体の少なくとも前記塗布面を密閉空間内に閉じ込める蓋体と、
前記蓋体内において塗布剤を一部露出させて収容し、前記結合がなされた際に、露出している塗布剤が前記塗布面側を向くように配置された容器と、
前記結合がなされた際に、露出している塗布剤が前記塗布面に当接するように、前記容器を前記塗布体に向けて弾性付勢する弾性体と、
を有する塗布具付容器。
【請求項２】
前記塗布剤が香料を含んでいる請求項１記載の塗布具付容器。
【請求項３】
前記香料がフローラルグリーン系、フローラルフルーティ系、グリーンフローラル系の香料から選ばれる１種または２種の香料である請求項２記載の塗布具付容器。
【請求項４】
前記塗布剤が、固体状から液体状までの間の１つの状態に形成されたものであり、前記当接によって崩れない強度を有している請求項１から３いずれか１項記載の塗布具付容器。
【請求項５】
前記塗布剤が、バーム状に形成されたものであり、硬度が１５以上である請求項４記載の塗布具付容器。
【請求項６】
前記塗布剤が、固体状に形成されたものであり、硬度が５０以上である請求項４記載の塗布具付容器。
【請求項７】
前記塗布剤が、液体状に形成されたものであり、３０℃における粘度が５０００ｍＰａ・ｓ以上である請求項４記載の塗布具付容器。
【請求項８】
前記塗布剤が、含浸体に含侵された液体状のものであり、前記当接によって液だれしない強度を有している請求項１から３いずれか１項記載の塗布具付容器。
【請求項９】
内部に前記塗布剤を収容し、前記蓋体に離脱可能に取り付けられるカートリッジ式容器をさらに備え、
前記蓋体が、前記容器の内部と前記カートリッジ式容器の内部とを連通する流路及び、該蓋体と前記塗布具とが結合したときに前記流路を閉状態にし、前記結合が解かれたときに前記流路を開状態にする弁体を有する請求項８記載の塗布具付容器。
【請求項１０】
前記含浸体が、前記弾性体として機能する請求項８又は９記載の塗布具付容器。
【請求項１１】
前記弾性体がバネで構成されており、該バネのバネ定数が、前記強度の値に応じて設定されている請求項４から１０いずれか１項記載の塗布具付容器。
【請求項１２】
前記弾性体が、前記容器の底板と前記蓋体との間に介挿されている請求項１から１１いずれか１項記載の塗布具付容器。
【請求項１３】
前記弾性体が、金属製のバネ、樹脂製のバネ、及びゴムから選択されるものである請求項１から１０及び１２いずれか１項記載の塗布具付容器。
【請求項１４】
前記塗布体の前記塗布面を含む先端が、球状又は丸棒状に形成されている請求項１から１３いずれか１項記載の塗布具付容器。
【請求項１５】
前記塗布面の少なくとも一部が金属で形成されている請求項１から１４いずれか１項記載の塗布具付容器。
【請求項１６】
前記温度作用部が、前記塗布面を加温する発熱体を有する請求項１から１５いずれか１項記載の塗布具付容器。
【請求項１７】
前記発熱体がニクロム線で構成されている請求項１６記載の塗布具付容器。
【請求項１８】
前記発熱体が前記塗布体に内蔵され、面状の発熱面を備えた面ヒーターで構成されている請求項１６記載の塗布具付容器。
【請求項１９】
前記温度作用部が、前記発熱体に発熱するための電流を供給する電源と、
該電源と前記発熱体との電気的接続をオンオフさせるスイッチとを備えている請求項１６から１８いずれか１項記載の塗布具付容器。
【請求項２０】
前記スイッチが、前記蓋体と前記塗布具とが結合したときにオフ状態となり、前記結合が解かれたときにオン状態となる請求項１９記載の塗布具付容器。
【請求項２１】
前記スイッチが、前記オン状態から所定時間経過後にオフ状態となる請求項２０記載の塗布具付容器。
【請求項２２】
前記温度作用部が、前記塗布面を冷却するものである請求項１から１５いずれか１項記載の塗布具付容器。
【発明の詳細な説明】
【技術分野】
【０００１】
本発明は化粧料を収容する容器に関し、特に詳しくは、化粧料を塗布するための塗布具を備えた塗布具付容器に関するものである。
【背景技術】
【０００２】
従来、液体状や固体状等の化粧料を収容する容器において、化粧料を塗布するための塗布具を組み合わせたものが知られている。また、そのように容器と組み合わされる塗布具において、化粧料の特性を改善すること、あるいは快適な塗布感を提供することを目的として、塗布具の塗布体を加温するようにしたものも知られている。
【０００３】
例えば特許文献１には、マスカラやフェースクリーム等の化粧料を収容した容器内に、塗布具（アプリケータ）のブラシ状の塗布体（アプリケータヘッド）を挿入可能とし、そして塗布体のブラシ軸内に電熱体を設置した構成が示されている（図１〜４等参照）。また特許文献２には、容器内にリップスティック等の化粧料を繰り出し可能に収容し、この容器の一端部に、繰り出される化粧料が通過する複数のオリフィスを有する平らな塗布体を設け、この塗布体を電熱体によって加温する構成が示されている（図１０等参照）。なお、快適な塗布感を提供する上では、塗布具の塗布体を、加温とは逆に冷却することも効果的である。
【０００４】
他方、例えば特許文献３には、外筒と内筒とから構成されて内筒内に化粧料を収容する容器と、この容器の一端の開口を閉じ得るキャップとを備え、キャップには、該キャップが上記開口を閉じるように容器に組み合わされた際に容器内に進入する塗布軸と、この塗布軸の先端に設けられて上記化粧料と接するパフ又はスポンジゴム等の塗布体とを設けてなる化粧料容器が示されている。この化粧料容器によれば、キャップを容器から外した後、上記塗布体に付着した化粧料を化粧に使用可能となる。
【先行技術文献】
【特許文献】
【０００５】
【特許文献１】特許第５８９１２４５号公報
【特許文献２】特許第５８５５６５７号公報
【特許文献３】実公昭５６−２２８０８号公報
【発明の概要】
【発明が解決しようとする課題】
【０００６】
特許文献１に示される構成においては、容器内の化粧料中に塗布体を全体的に挿入させているので、塗布体に付着し過ぎた化粧料を適切な量まで減らすために、塗布体を扱く操作（ワイピング）が必要になる。そのため、この構成においては、ブラシ状ではない塗布体、つまり、平らな広い塗布面を持つような塗布体を採用するのは難しい。前述したように快適な塗布感を提供することを目的として塗布体を加温あるいは冷却する上では、塗布体の塗布面を広い範囲に亘って加温あるいは冷却しなければ目的を十分に果たすことができない。したがって、特許文献１に示される構成は、上記目的で塗布面を加温あるいは冷却することには不向きであると言える。以上のことは、キャップに設けた細い塗布軸の先端に小さい塗布体を取り付けた構成を有する、特許文献３に記載の化粧料容器においても同様に言えることである。他方、特許文献２に示される構成においては、リップスティック等の化粧料を容器から繰り出すための機構が必要になって、構造が複雑化するという問題が認められる。
【０００７】
本発明は上記の事情に鑑みてなされたものであり、化粧料等の塗布剤を塗布するための塗布具を備えた上で、塗布具の塗布面を十分に加温あるいは冷却することができる、構造の簡単な塗布具付容器を提供することを目的とする。
【課題を解決するための手段】
【０００８】
本発明による塗布具付容器は、
塗布剤を塗布する塗布面を有する塗布体及び、塗布面の温度を上昇あるいは下降させる温度作用部を備えた塗布具と、
塗布具に離脱可能に結合し、この結合がなされた際に、塗布体の少なくとも塗布面を密閉空間内に閉じ込める蓋体と、
蓋体内において塗布剤を一部露出させて収容し、上記結合がなされた際に、露出している塗布剤が塗布面側を向くように配置された容器と、
上記結合がなされた際に、露出している塗布剤が塗布面に当接するように、容器を塗布体に向けて弾性付勢する弾性体と、
を有することを特徴とするものである。
【０００９】
なお上記の塗布剤とは、化粧料は勿論のこと、化粧料以外の例えば皮膚外用薬等、皮膚に塗布する外用剤を全て含むものである。本発明において、この塗布剤は香料を含むものであることが好ましく、特にフローラルグリーン系、フローラルフルーティ系、グリーンフローラル系の香料から選ばれる１種または２種の香料を含むものであることが望ましい。
【００１０】
また、上記の塗布剤としては、固体状から液体状までの間の１つの状態に形成されたものであることが好ましく、例えばバーム（半固形）状、固体状、粘度のある液体状、紛体状に形成されたものや、含浸体に含侵された液体状のものが好適に用いられる。そしてそのような塗布剤は、塗布面との当接によって崩れない強度を有していることが望ましい。なお、上述の「固体状から液体状までの間の１つの状態」とは、固体状であることも、液体状であることも含むものである。
【００１１】
塗布剤が上述のようにバーム状に形成されたものである場合、その硬度は１５以上であることが望ましい。他方、塗布剤が固体状に形成されたものである場合、その硬度は５０以上であることが望ましい。また、塗布剤が液体状に形成されたものである場合、その３０℃における粘度は５０００ｍＰａ・ｓ以上であることが望ましい。
【００１２】
また、塗布剤が液体状に形成されたものである場合、その塗布剤は含浸体に含侵され、そして塗布面との当接によって液だれしない強度を有していることが望ましい。
【００１３】
そして、特に上述のように含浸体に含侵された液体状の塗布剤が用いられる場合、本発明の塗布具付容器は、
液体状の塗布剤を収容し、蓋体に離脱可能に取り付けられるカートリッジ式容器をさらに備え、
蓋体が、容器の内部とカートリッジ式容器の内部とを連通する流路及び、該蓋体と塗布具とが結合したときに上記流路を閉状態にし、上記結合が解かれたときに流路を開状態にする弁体を有することが望ましい。
【００１４】
また上記の含浸体は、前述した弾性体、つまり容器を塗布体に向けて弾性付勢する弾性体として機能するものであることが望ましい。
【００１５】
また、本発明の塗布具付容器において、塗布剤がバーム状に形成された上で塗布面との当接によって崩れない強度を有している場合や、塗布剤が含浸体に含侵された液体状のものとされた上で塗布面との当接によって液だれしない強度を有している場合に、弾性体がバネから構成されるならば、そのバネのバネ定数は、上記各強度の値に応じて設定されることが望ましい。
【００１６】
また、本発明の塗布具付容器において、弾性体は、前記容器の底板と蓋体との間に介挿されていることが望ましい。
【００１７】
また弾性体として具体的には、金属製のバネ、樹脂製のバネ、及びゴム等が適宜選択して用いられ得る。
【００１８】
他方、本発明の塗布具付容器において、塗布体の塗布面を含む先端は、球状又は丸棒状に形成されていることが望ましい。
【００１９】
また、本発明の塗布具付容器において、塗布面の少なくとも一部は金属から形成されていることが望ましい。
【００２０】
また、本発明の塗布具付容器において、温度作用部は、塗布面を加温する発熱体を有することが望ましい。
【００２１】
上述のような発熱体としては、例えばニクロム線から構成されたものが適用可能である。
【００２２】
あるいは発熱体は、塗布体に内蔵され、面状の発熱面を備えた面ヒーターから構成されてもよい。
【００２３】
また、温度作用部が塗布面を加温するものである場合、その温度作用部は、発熱体に発熱するための電流を供給する電源と、この電源と発熱体との電気的接続をオンオフさせるスイッチとを備えていることが望ましい。
【００２４】
上記のスイッチは、蓋体と塗布具とが結合したときにオフ状態となり、この結合が解かれたときにオン状態となるように構成されていることが望ましい。
【００２５】
上述のように構成されたスイッチは、さらに、オン状態から所定時間が経過した後にオフ状態となるように構成されていることが望ましい。
【００２６】
また、本発明の塗布具付容器において、温度作用部は、塗布面を冷却するものであってもよい。そのような温度作用部は、例えばペルチェ素子を用いて構成することができる。
【発明の効果】
【００２７】
本発明による塗布具付容器は、塗布具と蓋体とが結合された際に、弾性付勢された容器内の塗布剤が塗布面に当接するように簡単に構成されているので、この当接によって塗布面に塗布剤を付着させることができる。そこで、その後塗布具から蓋体を離脱させて塗布体を露出させれば、使用者はこの塗布具を用いて、塗布面に付着している塗布剤を皮膚に塗布することができる。なお、塗布具と蓋体とが結合された際には、塗布体の塗布面が蓋体によって密閉空間内に閉じ込められるから、塗布面が乾いてしまうことが防止される。
【００２８】
また、本発明による塗布具付容器において、塗布具には、塗布体の塗布面の温度を上昇あるいは下降させる温度作用部が設けられているので、塗布面は十分に加温あるいは冷却され得る。そして、塗布具を用いて皮膚に塗布剤を塗布する使用者には、塗布面の温熱感あるいは冷却感から来る、リフレッシュ感、リラックス感、あるいは心地良いといった好ましい使用感がもたらされる。塗布剤が化粧料である場合、化粧料には香料を含むものが多く用いられるが、そのような香料の中でも特にフローラルグリーン系、フローラルフルーティ系、グリーンフローラル系の香料は、それ自身で上記のリフレッシュ感やリラックス感をもたらすものであるので、特に好ましい。ずなわち、その他の香料ではので、上記温度作用部により特に温めた場合でも、リフレッシュ感やリラックス感を得られないこともあるが、フローラルグリーン系、フローラルフルーティ系、グリーンフローラル系香料を適用すれば、上述した好ましい使用感を相乗的に高めることができる。なお、化粧料等の塗布剤に上記以外の香料が含まれている場合でも、その香料からの香りは、塗布面の温度が例えば上昇することに起因してより顕著なものとなる。
【図面の簡単な説明】
【００２９】
【図１】本発明の第１の実施形態による塗布具付容器を示す一部破断側面図
【図２】図１の塗布具付容器を構成する塗布具を示す斜視図
【図３】図１に示す塗布具付容器の別の状態を示す一部破断側面図
【図４】本発明の第２の実施形態による塗布具付容器を示す一部破断側面図
【図５】図４に示す塗布具付容器の別の状態を示す一部破断側面図
【発明を実施するための形態】
【００３０】
以下、本発明による塗布具付容器の実施形態について、図面を参照して詳細に説明する。図１は、本発明の第１の実施形態による塗布具付容器１を示す側面図である。本実施形態の塗布具付容器１は、塗布具１０と、この塗布具１０に離脱可能に結合する蓋体２０と、塗布剤の一例である化粧料Ｃを収容する中皿３０と、弾性体としてのコイルバネ４０とを有している。なお、この図１及び後述する図３では、蓋体２０及び中皿３０を破断して示している。
【００３１】
塗布具１０は、例えば合成樹脂からなり概略円柱状に形成された把持部１１と、この把持部１１の先端部（図中の下端部）に保持された塗布体１２とを備えている。この塗布具１０の外観形状を図２に示す。塗布体１２は、化粧料Ｃを塗布するための塗布面１２ａを有する。塗布面１２ａは、例えばステンレス鋼等の金属から構成され、球面の一部をなす形状とされている。また塗布体１２の内部には、塗布面１２ａに沿って延びる面状ヒーター１６が配設されている。
【００３２】
一方把持部１１には、例えば充電池や乾電池である電池１３と、制御回路１４と、スイッチング回路１５とが内蔵されている。電池１３は、上述した面状ヒーター１６に発熱用の電流を供給するものであり、制御回路１４を介して面状ヒーター１６に接続されている。スイッチング回路１５は制御回路１４に接続されている。このスイッチング回路１５は、例えば手動操作される操作片１５ａによって、オン状態とオフ状態のいずれか一方に選択的に設定される。ここでオン状態とは、電池１３からの電流を制御回路１４を介して面状ヒーター１６に供給させる状態であり、オフ状態とはこの電流供給を遮断する状態である。電池１３は、発熱体である面状ヒーター１６と共に、本発明における温度作用部を構成している。
【００３３】
蓋体２０は例えば合成樹脂からなり、概略有底の円筒状に形成されている。つまり蓋体２０は、概略円筒状の側板２１と、この側板２１の一端を閉じる底板２２とから構成されている。この蓋体２０は、塗布具１０に結合可能となっている。すなわち、側板２１の開いている他端から内方に向けて、塗布具１０が塗布体１２側から挿入されて、塗布具１０の外側に蓋体２０が被着され得る。より具体的には、塗布具１０の把持部１１の外周面と、蓋体２０の側板２１の内周面とが嵌合することにより、塗布具１０と蓋体２０とが図１に示しているように結合する。なお、この結合つまり上記の嵌合は比較的緩いものであり、塗布具１０と蓋体２０とをある程度大きな力で引き離せば、蓋体２０は塗布具１０から離脱する。
【００３４】
上述のように蓋体２０が塗布具１０に結合すると、蓋体２０は塗布具１０の塗布体１２を、密閉空間内に閉じ込める。なお本実施形態では、塗布体１２が全体的に密閉空間内に閉じ込められるようになっているが、塗布体１２の塗布面１２ａだけを、あるいは塗布面１２ａを含む塗布体１２の一部だけを、蓋体２０によって密閉空間内に閉じ込めるようにしてもよい。
【００３５】
中皿３０は、例えば合成樹脂からなり、浅い有底の円筒状に形成されている。すなわち中皿３０は、概略短い円筒状の側板３０ａと、この側板３０ａの一端を閉じる底板３０ｂとから構成されている。底板３０ｂは、側板３０ａの外周面よりも外側まで突出した円環状のフランジ部３０ｃを有している。この中皿３０は、化粧料Ｃを収容する浅い容器である。すなわち、中皿３０の底板３０ｂの上で、かつ側板３０ａの内側に、例えばバーム状の化粧料Ｃが収容される。この化粧料Ｃは、側板３０ａの開端から露出する。
【００３６】
蓋体２０の側板２１の内周面には、内方に突出した円環状の係止部２１ａが形成されている。中皿３０は、その側板３０ａが上記係止部２１ａの中を通り、そして側板３０ａの開口側が蓋体２０の底板２２と反対側を向く状態にして、蓋体２０内に保持されている。したがって、前述したように塗布具１０と蓋体２０とが結合した際には、露出した化粧料Ｃが、塗布体１２の塗布面１２ａ側を向く状態となる。
【００３７】
中皿３０は、その側板３０ａが上記係止部２１ａに案内保持されながら、側板３０ａの軸方向に、つまり図１中で上下方向に移動可能となっている。この中皿３０の底板３０ｂと、蓋体２０の底板２２との間には、コイルバネ４０が圧縮状態で配設されている。このコイルバネ４０は中皿３０を、底板２２から離れる方向に弾性付勢する。したがって中皿３０は、塗布具１０と蓋体２０とが結合した状態下では、塗布体１２に向けて付勢されることになる。他方、塗布具１０から蓋体２０が取り外された状態下では、コイルバネ４０によって弾性付勢されている中皿３０は、フランジ部３０ｃが係止部２１ａに当接した状態を保つ。
【００３８】
次に、上記構成を有する塗布具付容器１の作用について説明する。この塗布具付容器１は、使用時（化粧料Ｃを使用者の皮膚等に塗布する時）以外は、図１に示す状態つまり、塗布具１０に蓋体２０が結合された状態とされて、保管されたり携行されたりする。前述したようにこの結合は、塗布具１０の把持部１１の外周面と、蓋体２０の側板２１の内周面とが緩く嵌合することによってなされる。こうして塗布具１０に蓋体２０が結合された状態下では、前述したように弾性付勢されている中皿３０に収容されている化粧料Ｃが、塗布体１２の塗布面１２ａに当接する。そこで、例えばバーム状の化粧料Ｃが、塗布面１２ａに付着する。
【００３９】
塗布具付容器１の使用時以外は、塗布具１０に蓋体２０が結合される。つまり、塗布具１０に蓋体２０が被着された状態となり、塗布体１２は蓋体２０が画形する密閉空間内に閉じ込められる。こうしておけば、塗布面１２ａに化粧料Ｃが付着していても、塗布具付容器１を保管したり携行したりする際に、その化粧料Ｃによって手先や被服等が汚されることを防止できる。また、化粧料Ｃが付着した塗布面１２ａが乾いてしまうことも防止される。
【００４０】
化粧料Ｃを使用者の皮膚等に塗布する使用時には、塗布具１０から蓋体２０が引き離され、塗布具１０は図２に示す状態となる。塗布具付容器１の使用者は、この状態になった塗布具１０の操作片１５ａを操作して、スイッチング回路１５をオン状態に設定する。スイッチング回路１５がオン状態になると、電池１３から制御回路１４を介して面状ヒーター１６に電流が供給されて、面状ヒーター１６が発熱する。そこで、面状ヒーター１６に隣接している塗布面１２ａが、平常よりも高い温度まで加温される。面状ヒーター１６は塗布面１２ａに極めて隣接して配設されているので、塗布面１２ａは面状ヒーター１６の温度とほぼ同じ温度まで十分に加温され得る。
【００４１】
塗布面１２ａが加温されていると、化粧料Ｃを塗布する使用者に、温熱感から来るいわゆるリフレッシュ感、リラックス感、あるいは心地良いといった好ましい使用感がもたらされる。このような効果を得るための塗布面１２ａの温度、つまり面状ヒーター１６の温度は、一例として３５〜４５℃程度とするのが好ましい。制御回路１４は例えばバイメタル等により面状ヒーター１６への電流供給を制御して、面状ヒーター１６の温度をこのような好ましい温度に維持する。なお、塗布面１２ａを加温する発熱体としては、面状ヒーター１６に限らず、その他のニクロム線等が適用されてもよい。ここで、使用者に心地良い等の好ましい使用感を提供するためには、塗布面１２ａを冷却するようにしてもよい。そのような冷却を行う手段としては、例えばペルチェ素子が適用可能である。
【００４２】
ここで、塗布面１２ａが前述したように金属から形成されている場合、使用者は、化粧料Ｃの塗布時に塗布面１２ａから直接的な温熱感を得ることができる。また、金属から形成された塗布面１２ａは、滑らかな塗布感を提供できるという点からも好ましいものである。そのような金属は、熱伝導率が１５〜２０５Ｗ／ｍ・Ｋであるものが好ましく、具体的な例としては、前述したステンレス鋼の他、アルミニウム、チタン、真鍮等が挙げられる。ただし塗布面１２ａは、金属に限らず、それ以外の材料から形成されても構わない。
【００４３】
また、塗布具付容器１の各部の大きさは特に限定されるものではないが、例えば塗布具１０は、一例として一般的な鉛筆と同程度のサイズとされる。その程度の比較的小さなサイズとされた塗布具１０は、使用者が周囲の人間に気付かれずに化粧料Ｃを塗布する上で都合の良いものとなる。塗布具１０は、以上述べたように化粧料Ｃを塗布するために利用可能であるのは勿論のこと、使用者が身体の一部、例えばこめかみ、首あるいは手等を温めて、リフレッシュ感やリラックス感を得るために利用することもできる。
【００４４】
なお、化粧料Ｃが特に香料を含むものである場合は、使用者やその周囲の者を、その香料が発する香りによって心地良くさせるという本来の効果も当然得られる。なお、この香りは、塗布面１２ａが加温されていることにより、特に顕著なものとなり得る。この場合の心地良さは、上記温熱感から来る好ましい使用感と相乗する、リフレッシュ感やリラックス感であることが望ましい。リフレッシュ感やリラックス感は気持ちを切り替える、落ち着く、いたわり心地よい効果を含むものである。そのようなリフレッシュ感やリラックス感をもたらすことができる香料の例については、後に詳しく説明する。
【００４５】
塗布具付容器１の使用者は、皮膚等への化粧料Ｃの塗布が済むと、操作片１５ａを操作してスイッチング回路１５をオフ状態に戻し、次いで塗布具１０に蓋体２０を結合させて、塗布具付容器１の使用を終了する。
【００４６】
なお、スイッチング回路１５をオン、オフさせる操作片１５ａを設ける代わりに、塗布具１０と蓋体２０との結合の有無を検知する可動片等からなる検知部を設け、その検知部が検知する上記結合の有り、無し（結合解除）に応じてスイッチング回路１５を自動的にオフ状態、オン状態に設定するようにしてもよい。さらに、そのようにスイッチング回路１５を自動的にオフ状態、オン状態に設定する場合は、オン状態に設定されてから所定時間が経過した後に自動的にオフ状態になるようにスイッチング回路１５を構成しておくことが好ましい。それにより、化粧料Ｃの塗布が終了したのにも関わらず面状ヒーター１６が加熱し続けて、電力が無駄に消費されることを防止できる。
【００４７】
また、例えば塗布具１０の把持部１１の外周面に、周方向に延びる環状の細い凸部を形成する一方、蓋体２０の側板２１の内周面に上記凸部と係合する環状の溝を形成する等により、塗布具１０に対する蓋体２０の結合位置が一定に保たれるようにしてもよい。あるいは、上述のような凸部及び溝に代えて、把持部１１の外周面に塗布体１２の方を向く当接面を有する当接突起を設けてもよい。つまり、その当接突起を蓋体２０の側板２１の端面（図１中における上端面）に当接させ、把持部１１がそれ以上深く側板２１内に進入し得ないようにして、塗布具１０に対する蓋体２０の結合位置を一定に保つようにしてもよい。
【００４８】
塗布具１０による化粧料Ｃの塗布が何度もなされると、中皿３０に収容されている化粧料Ｃの量は次第に減少する。図３は、中皿３０に収容されている化粧料Ｃがほぼ使い尽くされた状態にある場合に、蓋体２０が塗布具１０に結合された様子を示している。この図３と図１とを比べれば判るように、蓋体２０が塗布具１０に結合されたとき、塗布体１２に向けて弾性付勢されている中皿３０は、そこに収容している化粧料Ｃの量が少ないほどより塗布体１２に近付いて、化粧料Ｃが塗布面１２ａに当接する状態が保たれる。
【００４９】
化粧料Ｃが前述したバーム状のものである場合、その化粧料Ｃは、塗布面１２ａへの当接によって崩れない強度を有していることが望ましい。具体的にバーム状の化粧料Ｃは、強度をレオメータ硬度で規定して、硬度１５以上のものが好ましい。なお、このレオメータ硬度は、サンレオメーター（ＣＭＰＡＣ−II:株式会社サン科学）を用い、温度２５℃に保ったバーム状の化粧料Ｃに直径５．６ｍｍの円盤針を３ｍｍ針入させて測定した場合の値とする。ただし、この強度が高すぎると、化粧料Ｃが塗布面１２ａに付着し難くなる。そこで、化粧料Ｃの強度は塗布面１２ａへの当接によって崩れない範囲内で、できるだけ低いことが望ましい。逆に言えば、バーム状の化粧料Ｃの強度が予め決まっている場合は、その強度に応じてコイルバネ４０のバネ定数を、化粧料Ｃが崩れない範囲内で最大に設定すればよい。
【００５０】
化粧料Ｃが固体状の場合、その硬度は５０以上（前述の場合と同様にサンレオメーターを用い、温度２５℃に保った化粧料Ｃに直径５．６ｍｍの円盤針を３ｍｍ針入させて測定した場合の値とする）が好ましい。他方、液体状の化粧料Ｃを含浸体に含侵させる場合、化粧料Ｃは、含浸体から垂れ落ちない程度の粘度を有することが好ましい。具体的にその粘度は、Ｂ型粘度計を用い１２ｒｐｍ、３０℃×１分で測定した場合、５０００ｍＰａ・s以上であることが好ましい。含浸する場合は粘度の必要性はない。
【００５１】
なお、塗布面１２ａを含む塗布体１２の先端部は、先に述べたように球面の一部をなす形状とする他、丸棒状等のその他の形状とされてもよい。一方、コイルバネ４０としては一般に金属製のものが好適に用いられるが、樹脂製のコイルバネが用いられてもよい。また中皿３０を弾性付勢する弾性体としては、コイルバネに限らず、金属あるいは樹脂等からなる板バネが適用されてもよい。さらには、中皿３０を弾性付勢する弾性体として、バネの形態を持たないゴム製のブロック等が適用されてもよい。
【００５２】
次に、本発明の第２の実施形態による塗布具付容器２について説明する。図４は、本発明の第２の実施形態による塗布具付容器２を示す側面図である。なおこの図４において、図１〜３に示したものと同等の要素には同じ参照番号を付してあり、それらについては特に必要の無い限り説明を省略する(以下、同様)。この塗布具付容器２は、塗布具１０と、この塗布具１０に離脱可能に結合する蓋体５０と、この蓋体５０に離脱可能に取り付けられるカートリッジ式容器６０と、含侵体７１を収容する含侵体容器７０と、弾性体としてのコイルバネ４０とを有している。なお、この図４及び後述する図５では、蓋体５０、カートリッジ式容器６０、含侵体容器７０及びコイルバネ４０を破断して示している。
【００５３】
本実施形態の塗布具付容器２は、第１実施形態の塗布具付容器１と対比すると、基本的に、化粧料Ｃを収容する構成並びに化粧料Ｃを塗布具１０の塗布体１２に付着させる構成が異なるものである。なお塗布具１０としては、第１実施形態の塗布具付容器１におけるものと基本的に同様のものが適用可能である。したがって、図４中の塗布具１０においても、前述したものと同様の電池１３、制御回路１４、スイッチング回路１５、操作片１５ａ及び面状ヒーター１６が設けられるが、それらの図示並びに特に必要なもの以外の説明は省略する。ただし、本実施形態で用いられる化粧料Ｃは一例として液体状のものであるので、塗布体１２の塗布面１２ａは平滑な金属ではなく多孔性の合成樹脂等から構成されて、化粧料Ｃが付着しやすいものとされるのが望ましい。
【００５４】
蓋体５０は例えば合成樹脂からなり、概略有底の円筒状に形成されている。つまり蓋体５０は、概略円筒状の側板５１と、この側板５１の一端を閉じる底板５２とから構成されている。この蓋体５０は、塗布具１０に対して離脱可能に結合（嵌合）可能となっている。この結合は、第１実施形態の塗布具付容器１におけるのと同様にしてなされる。蓋体５０の底板５２の中央部には、貫通孔５２ａが設けられている。また側板５１の底板５２に近い部分は肉厚部とされて、この肉厚部には、底板５２の表面に開口する環状溝５３が形成されている。
【００５５】
上記環状溝５３は、カートリッジ式容器６０を蓋体５０に取り付けるために設けられたものである。カートリッジ式容器６０は有底円筒状の容器であり、概略円筒状の側板６２と、この側板６２の一端を閉じる底板６１とから構成されている。このカートリッジ式容器６０は内部に液体状の化粧料Ｃを収容し、蓋体５０に取り付ける前には、例えば側板６２の開いた他端（図４中の上端）に図示外の密封シートが被着されて、化粧料Ｃの漏出が防止されている。カートリッジ式容器６０を使用する際には、上記密封シートが剥がされた後、側板６２の他端を環状溝５３内に挿入して溝壁部と液密状態に嵌合させることにより、蓋体５０に取り付けられる。
【００５６】
図４は、こうしてカートリッジ式容器６０が蓋体５０に取り付けられ、そして塗布具１０が蓋体５０と完全に結合していない状態を示している。この状態のとき、カートリッジ式容器６０の内部は、底板５２の貫通孔５２ａを介して蓋体５０の内部と連通する。つまり貫通孔５２ａは、液体状の化粧料Ｃが流通し得る流路となる。なお、側板６２の他端と環状溝５３の溝壁部との嵌合は比較的緩いものであり、カートリッジ式容器６０がある程度大きな力で蓋体５０から遠去かる方向に引かれれば、この嵌合が解かれてカートリッジ式容器６０は蓋体５０から離脱する。
【００５７】
含侵体容器７０は例えば合成樹脂からなり、概略有底の円筒状に形成されている。つまり含侵体容器７０は、概略円筒状の側板７０ａと、この側板７０ａの一端を閉じる底板７０ｂとから構成されている。底板７０ｂには、複数の貫通孔７０ｃが設けられている。含侵体容器７０は、蓋体５０の側板５１に形成された前記肉厚部の内側に収められている。より詳しくは、この肉厚部の内周壁５１ａに対し、側板７０ａの外周面が筒軸方向に摺動可能な状態で、含侵体容器７０が配設されている。含侵体容器７０の底板７０ｂと蓋体５０の底板５２との間には、コイルバネ４０が配設されている。含侵体容器７０の底板７０ｂはこのコイルバネ４０の一端（図４中の上端）に固定され、コイルバネ４０の他端（図４中の下端）は蓋体５０の底板５２に固定されている。こうして含侵体容器７０は、コイルバネ４０によって側板５１の開端側に弾性付勢されつつ、側板５１の上記肉厚部の中から離脱しないように保持されている。なお、側板５１の内周壁５１ａと側板７０ａの外周面との間は、化粧料Ｃを流通させない液密状態となっている。
【００５８】
含侵体容器７０の内部には、概略円柱状の含侵体７１が、一端面つまり図中の上端面を露出させた状態で収容されている。この含侵体７１は弾性を有する例えば硬質のスポンジ等から構成されて、後述するように液体状の化粧料Ｃを含浸する。したがって含侵体容器７０は本発明における容器つまり、塗布具１０に蓋体５０が結合された際に、露出している化粧料Ｃが塗布体１２の塗布面１２ａ側を向くように配置された容器を構成している。
【００５９】
含侵体容器７０の底板７０ｂの中央部には、蓋体５０の底板５２に形成された貫通孔５２ａの方を向いて突出した凸部８０が形成されている。この凸部８０は概略円柱状で、その先端つまり図４中の下端は球面の一部をなす形状とされている。また、この凸部８０の円柱状部分の外径は、該凸部８０が上記貫通孔５２ａの中に緊密に収容され得る寸法とされている。
【００６０】
次に、上記構成を有する塗布具付容器２の作用について説明する。この塗布具付容器２は、使用時以外は、図５に示す状態つまり、塗布具１０に蓋体５０が結合された状態とされて、保管されたり携行されたりする。この結合も、塗布具１０の把持部１１の外周面と、蓋体５０の側板５１の内周面とが緩く嵌合することによってなされる。こうして塗布具１０に蓋体５０が結合された状態下では、弾性付勢されている含侵体容器７０内の含侵体７１が、塗布体１２の塗布面１２ａに当接する。そこで、含侵体７１に含侵されている液体状の化粧料Ｃが塗布面１２ａに付着する。この含侵体７１による化粧料Ｃの含侵については後述する。
【００６１】
その後、第１の実施形態におけるのと同様に、塗布具１０と蓋体５０との結合が解かれ、塗布面１２ａに化粧料Ｃが付着している塗布具１０を用いて、使用者の皮膚等に化粧料Ｃが塗布される。そしてこの場合も使用者に、加温されている塗布面１２ａの温熱感から来るいわゆるリフレッシュ感、リラックス感、あるいは心地良いといった好ましい使用感がもたらされる。また、化粧料Ｃが特に香料を含むものである場合は、第１の実施形態におけるのと同様に、その香料が発する香りによる効果も当然得られる。
【００６２】
次に、含侵体７１による化粧料Ｃの含浸について説明する。図５は、塗布具１０に蓋体５０が結合された状態を示している。一方図４は、上記の結合が完全になされる前の状態で、塗布具１０が蓋体５０の一部内に進入した状態を示している。図４の状態あるいは、塗布具１０が蓋体５０の中に全く進入していない状態のとき、含侵体容器７０はコイルバネ４０の付勢により蓋体５０の底板５２から大きく離れ、底板７０ｂに形成された凸部８０は底板５２の貫通孔５２ａから抜け出る。
【００６３】
したがってこの状態のとき、カートリッジ式容器６０内に収容されている液体状の化粧料Ｃは、底板５２の貫通孔５２ａを通って、蓋体５０の底板５２と含侵体容器７０との間の空間内に流入する。さらにこの化粧料Ｃは、底板７０ｂに形成された複数の貫通孔７０ｃを通って、含侵体容器７０内に流入する。こうして、含侵体容器７０内に有る含侵体７１に化粧料Ｃが含侵される。以上の説明から明らかなように含侵体容器７０は含侵体７１と共に、塗布具１０に蓋体５０が結合された際に、露出している化粧料Ｃが塗布体１２の塗布面１２ａ側を向くように配置された容器を構成している。
【００６４】
図５に示されるように、塗布具１０に蓋体５０が完全に結合されると、塗布具１０の塗布体１２が含侵体７１に当接し、含侵体７１に含侵されている化粧料Ｃが塗布体１２の塗布面１２ａに付着する。このとき、含侵体容器７０及び含侵体７１は、弾性体としてのコイルバネ４０により、露出している化粧料Ｃが塗布面１２ａに当接するように、塗布体１２に向けて弾性付勢される。また、スポンジ等から形成された含侵体７１も、露出している化粧料Ｃが塗布面１２ａに当接するように自身を弾性付勢する弾性体を構成している。
【００６５】
なお、塗布具１０に蓋体５０が完全に結合されると、含侵体容器７０がコイルバネ４０の付勢力に抗しつつ蓋体５０の底板５２側に押し込まれる。それにより、含侵体容器７０の底板７０ｂに形成されている凸部８０が、蓋体５０の底板５２に形成された貫通孔５２ａの中に緊密に収容される。そこで、化粧料Ｃの流路としての貫通孔５２ａが凸部８０によって閉塞され、カートリッジ式容器６０内から含侵体７１に向かう化粧料Ｃの流れが遮断される。以上の説明から明らかな通り凸部８０は、蓋体５０と塗布具１０とが結合したときに化粧料流路である貫通孔５２ａを閉状態にし、上記結合が解かれたときに貫通孔５２ａを開状態にする弁体を構成している。
【００６６】
ここで、上述したように塗布具１０の塗布体１２が含侵体７１に当接したとき、含侵体７１に含侵されている化粧料Ｃが含侵体７１から液だれしないことが望まれる。この液だれが生じた場合は、塗布具１０と蓋体５０との結合が解かれた際に、液だれしていた化粧料Ｃが蓋体５０内から漏出することも有り得る。この液だれを防止するためには、液体状の化粧料Ｃが、塗布体１２との当接によって液だれを起こすことのない十分な強度を有していることが必要である。具体的に液体状の化粧料Ｃは、強度を粘度で規定した場合、一般に温度３０℃での粘度が５０００ｍＰａ・ｓ以上であるものが好ましい。
【００６７】
なお、上記液だれの起き易さは、含侵体７１と塗布体１２との当接の強さによっても左右される。そしてこの当接の強さは、含侵体７１自身の弾力及びコイルバネ４０のバネ定数に依存する。そこで、使用される含侵体７１が決まっている場合は、コイルバネ４０のバネ定数を、含侵体７１自身の弾力及び化粧料Ｃの粘度に応じて適切に設定すればよい。
【００６８】
次に、化粧料Ｃの処方例について説明する。以下では、バーム状とされた化粧料Ｃの処方例１と、液体状とされた化粧料Ｃの処方例２を示す。
【００６９】
化粧料Ｃの処方例１（バーム状）
パルミチン酸デキストリン      13（重量％、以下同様）
流動パラフィン 52.63
重質流動パラフィン    7
テトラ２−エチルヘキサン酸ペンタエリトリット 9
ポリメタクリル酸メチル        9
メタクリル酸メチルクロスポリマー     9
トコフェロール 0.05
４−ｔｅｒｔ−ブチル−４’−メトキシジベンゾイルメタン      0.1
ジメチコン     0.02
フローラルグリーン系香料      0.2
【００７０】
化粧料Ｃの処方例２（液体状）
イオン交換水   64.48
エチルアルコール      20
グリセリン     1
ジプロピレングリコール        9
１，３−ブチレングリコール    1
ポリエチレングリコール1000    1
ポリオキシエチレン（１４）ポリオキシプロピレン（７）ジメチルエーテル       2
水酸化カリウム 0.08
ポリオキシエチレン（１０）ポリオキシプロピレン（２０）デシルテトラデシルエーテル        0.2
カルボキシビニルポリマー      0.24
ポリオキシエチレンデシルテトラデシルエーテル・ヘキサメチレンジイソシアネート・ポリエチレングリコール１１０００共重合体        0.6
フローラルフルーティ系香料    0.4
【００７１】
上記処方例１の化粧料Ｃは例えば前述した第１実施形態に、一方、処方例２の化粧料Ｃは例えば前述した第２実施形態に、それぞれ好ましい化粧料として適用可能である。また、処方例１で用いられたフローラルグリーン系香料や、処方例２で用いられたフローラルフルーティ系香料は、特にそれらに限定されるものではなく、それらに代えて例えば、天然香料や合成香料の中の２種以上を適宜選択して組み合わせた調合香料が適用可能である。あるいは、このような調合香料の代わりに、天然香料や合成香料の中の１種だけを選択して用いることもできる。香料の選択は、化粧料に賦香する目的に応じて適宜行えばよい。
【００７２】
適用可能な香料を香調によって分類すると、シトラス系香料、グリーン系香料、フルーティ系香料、フローラル系香料、ムスキー系香料、ウッディ系香料、スウィート系香料等が挙げられる。これらをさらに発展させたシトラス系香料にグリーン系香料を調合したシトラスグリーン系やフローラル系香料にグリーン系香料を調合したフローラルグリーン系、フローラル系香料にフルーティ系香料を調合したフローラルフルーティ系、グリーン系香料にフローラル香料を調合したグリーンフローラル系等の香料も挙げられる。
【００７３】
上記のシトラス系香料としては、特に限定されるものではないが、例えば、リモネン、レモン油、オレンジ油、ビターオレンジ油、スイートオレンジ油、グレープフルーツ油、ベルガモット油、マンダリン油、ライム油、シトラール、ｎ−オクタナール（アルデヒドＣ−８）、ｎ−ノネナール（アルデヒドＣ−９）、デカナール（アルデヒドＣ−１０）、ウンデカナール（アルデヒドＣ−１１）、ジハイドロミルセノール等が挙げられる。
【００７４】
上記のグリーン系香料としては、特に限定されるものではないが、例えば、シス−３−ヘキセノール、ガルバナム油、スターアニス油、セージ油、バイオレットリーフ油、ローズマリー油、バジル油、ラバンジン油、ラベンダー油、ローレル油、カシスベース３４５、酢酸スチラリル、酢酸シス−３−ヘキセニル、サリチル酸シス−３−ヘキセニル、５−メチル−３−ヘプタノンオキシム等が挙げられる。
【００７５】
上記のフルーティ系香料としては、特に限定されるものではないが、例えば、γ−ウンデカラクトン、α−ダマスコン、β−ダマスコン、γ−ダマスコン、δ−ダマスコン、γ−デカラクトン、γ−ドデカラクトン、ラズベリーケトン等が挙げられる。
【００７６】
上記のフローラル系香料としては、特に限定されるものではないが、例えば、ローズ油、ジャスミンアブソリュート、リナロール、エチルリナロール、酢酸ゲラニル、酢酸ベンジル、シクラメンアルデヒド、イランイラン油、カミツレ油、ゼラニウム油、タジェート油、ネロリ油、酢酸ベンジル、クマリン、ヘリオトロピン、オリス油、α−アミルシンナミックアルデヒド、シトロネロール、ゲラニオール、ジヒドロジャスモン酸メチル（＝へディオン）、ヒドロキシシトロネラール、４（３）−（４−ヒドロキシ−４−メチルペンチル）−３−シクロヘキセン−１−カルボキシアルデヒド（＝リラール）、β−フェニルエチルアルコール、ｐ−ｔｅｒｔ−ブチル−α−メチルヒドロシンナミックアルデヒド（＝リリアール）、α−ヘキシルシンナミックアルデヒド、メチルイソオイゲノール、メチルヨノン、α−ヨノン、β−ヨノン等が挙げられる。
【００７７】
上記のムスキー系香料としては、特に限定されるものではないが、例えば、エチレンブラシレート、アンブレットリド、１１−オキサヘキサデカノリド（Ｍｕｓｋ  Ｒ−１）、ガラクソリッド、アンブレットシード油等が挙げられる。
【００７８】
上記のウッディ系香料としては、特に限定されるものではないが、例えば、アンブロキサン、イソカンフィルシクロヘキサノール（＝Ｓａｎｄｅｌａ）、カシュメラン、グリサルバ、酢酸グアヤック、酢酸ベチベリル、サンタロール、サンダロール、セドロールメチルエーテル（＝セドランバー）、バンガロール（＝バクダノール）、アンブレットシード油、オークモスアブソリュート、オリバナム油、グアヤックウッド油、サンダルウッド油、セダーウッド油、ヒノキ油、ベチパー油、パチュリ油等が挙げられる。
【００７９】
上記のスウィート系香料としては、特に限定されるものではないが、例えば、エチルバニリン、エチルマルトール、バニリン、マルトール、ラズベリーケトン、オークモスアブソリュート、トンカビーンズアブソリュート、バルサムトルー、バルサムペルー、ベンゾイン等が挙げられる。
【００８０】
なお、以上挙げた各香料は、アルコールやジプロピレングリコール、ブチレングリコール等を溶媒とする溶液として使用することもできる。
【００８１】
本発明の塗布具付容器に収容される塗布剤に賦香する香料は、特に限定されるものではないが、塗布面が温熱あるいは冷却されることにより、使用者にリフレッシュ感やリラックス感がもたらされるという効果が得られることを考慮すると、この効果を相乗的に高めることができる香調の香料が適用されることが特に望ましい。そのような香調の香料としては、フローラルグリーン系、フローラルフルーティ系、グリーンフローラル系の香料から選ばれる１種または２種の香料が挙げられる。
【００８２】
以上、塗布剤が化粧料である場合の実施形態について主に説明したが、本発明の塗布具付容器は、化粧料以外の塗布剤、例えば医薬品や医薬部外品である皮膚外用剤を皮膚に塗布するものとして構成することも可能である。そして、そのように構成された本発明の塗布具付容器も、先に述べた通りの効果を同様に奏するものである。
【符号の説明】
【００８３】
１、２    塗布具付容器
１０    塗布具
１１    把持部
１２    塗布体
１２ａ  塗布面
１３    電池
１４    制御回路
１５    スイッチング回路
１５ａ  操作片
１６    面状ヒーター
２０、５０    蓋体
２１、５１    蓋体の側板
２１ａ    蓋体の側板の係止部
２２、５２    蓋体の底板
３０    中皿
３０ａ  中皿の側板
３０ｂ  中皿の底板
３０ｃ  中皿のフランジ部
４０    コイルバネ
５１ａ  蓋体側板の内周壁
５２ａ  蓋体底板の貫通孔
６０    カートリッジ式容器
６１    カートリッジ式容器の底板
６２    カートリッジ式容器の側板
７０    含侵体容器
７０ａ  含侵体容器の側板
７０ｂ  含侵体容器の底板
７０ｃ  含侵体容器底板の貫通孔
７１    含侵体
８０    凸部
Ｃ      化粧料
【図１】
2019107089.tif 000003
【図２】
2019107089.tif 000004
【図３】
2019107089.tif 000005
【図４】
2019107089.tif 000006
【図５】
2019107089.tif 000007